(57)【要約】  本発明は、ＭＢＭＳを支援するユーザ装置及びこのユーザ装置のデータ受信方法に関する。ＭＢＭＳを支援するユーザ装置がデータを受信する方法は、ＭＢＳＦＮ用途に予約されたＭＢＳＦＮサブフレームを指示する第１指示情報を獲得する段階と、前記ＭＢＳＦＮサブフレームのうちＰＭＣＨをデコードするサブフレームを指示する第２指示情報を獲得する第２獲得段階と、第１サブフレームが前記ＭＢＳＦＮサブフレームとして指示されたが、ＰＭＣＨをデコードするように指示されず、ＰＲＳのためのサブフレームではない場合、前記第１サブフレームのＰＤＣＣＨを受信して相当するＰＤＳＣＨをデコーディングする処理段階とを含むことができる。本発明の一実施形態によれば、ＭＢＭＳを支援するユーザ装置が効率的にデータを受信することができる効果がある。
2014515901.tif 000002
【特許請求の範囲】
【請求項１】
ＭＢＭＳ（ＭＵＬＴＩＭＥＤＩＡ  ＢＲＯＡＤＣＡＳＴ  ＭＵＬＴＩＣＡＳＴ  ＳＥＲＶＩＣＥ）を支援するユーザ装置（Ｕｓｅｒ  Ｅｑｕｉｐｍｅｎｔ）がデータを受信する方法において、
ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）用途に予約された（ｒｅｓｅｒｖｅｄ）ＭＢＳＦＮサブフレームを指示する第１指示情報を獲得する段階と；
前記ＭＢＳＦＮサブフレームのうちＰＭＣＨ（Ｐｈｙｓｉｃａｌ  Ｍｕｌｔｉｃａｓｔ  Ｃｈａｎｎｅｌ）をデコードするサブフレームを指示する第２指示情報を獲得する第２獲得段階と；
第１サブフレームが前記ＭＢＳＦＮサブフレームとして指示されたが、ＰＭＣＨをデコードするように指示されず、ＰＲＳ（Ｐｏｓｉｔｉｏｎｉｎｇ  Ｒｅｆｅｒｅｎｃｅ  Ｓｉｇｎａｌ）のためのサブフレームではない場合、前記第１サブフレームのＰＤＣＣＨ（Ｐｈｙｓｉｃａｌ  Ｄｏｗｎｌｉｎｋ  Ｃｏｎｔｒｏｌ  ＣＨａｎｎｅｌ）を受信して相当するＰＤＳＣＨ（Ｐｈｙｓｉｃａｌ  Ｄｏｗｎｌｉｎｋ  Ｓｈａｒｅｄ  ＣＨａｎｎｅｌ）をデコーディングする処理段階と；を含むことを特徴とするデータ受信方法。
【請求項２】
前記第２獲得段階は、
ＭＣＨ（Ｍｕｌｔｉｃａｓｔ  ＣＨａｎｎｅｌ）スケジューリング情報を獲得する段階を含み、
前記処理段階は、
前記第１サブフレームが前記第１指示情報によって前記ＭＢＳＦＮサブフレームとして指示されたが、前記ＭＣＨスケジューリング情報によってＰＭＣＨをデコードするように指示されず、ＰＲＳのためのサブフレームではない場合、前記第１サブフレームのＰＤＣＣＨを受信して相当するＰＤＳＣＨをデコーディングする段階を含むことを特徴とする請求項１に記載のデータ受信方法。
【請求項３】
前記第２獲得段階は、ＭＣＨ（Ｍｕｌｔｉｃａｓｔ  ＣＨａｎｎｅｌ）スケジューリング情報から前記ＭＢＳＦＮサブフレームとして指示されたが、ＭＴＣＨ（Ｍｕｌｔｉｃａｓｔ  Ｔｒａｆｆｉｃ  ＣＨａｎｎｅｌ）の伝送が中断されるサブフレームを指示する中断サブフレーム指示情報を獲得する段階を含み、
前記処理段階は、
前記第１サブフレームが前記ＭＴＣＨの伝送が中断されるサブフレームとして指示された場合、前記第１サブフレームのＰＤＣＣＨを受信して相当するＰＤＳＣＨをデコーディングする段階を含むことを特徴とする請求項２に記載のデータ受信方法。
【請求項４】
前記第１サブフレームが前記ＰＭＣＨをデコードするように指示された場合、前記第１サブフレームのＰＭＣＨを受信してデコーディングする段階をさらに含むことを特徴とする請求項１に記載のデータ受信方法。
【請求項５】
前記第１サブフレームが前記ＰＭＣＨをデコードするように指示された場合、前記第１サブフレームのＰＤＣＣＨを受信しないことを特徴とする請求項４に記載のデータ受信方法。
【請求項６】
前記第１サブフレームが前記ＰＭＣＨをデコードするように指示された場合、前記サブフレームを拡張された循環前置を適用してデコードすることを特徴とする請求項４に記載のデータ受信方法。
【請求項７】
前記第１サブフレームが前記ＰＭＣＨをデコードするように指示されない場合、前記サブフレームを拡張された循環前置及び一般循環前置の両方を適用してデコードすることを特徴とする請求項６に記載のデータ受信方法。
【請求項８】
ＭＢＭＳ（ＭＵＬＴＩＭＥＤＩＡ  ＢＲＯＡＤＣＡＳＴ  ＭＵＬＴＩＣＡＳＴ  ＳＥＲＶＩＣＥ）を支援するユーザ装置（Ｕｓｅｒ  Ｅｑｕｉｐｍｅｎｔ）において、
ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）用途に予約された（ｒｅｓｅｒｖｅｄ）ＭＢＳＦＮサブフレームを指示する第１指示情報を獲得し、前記ＭＢＳＦＮサブフレームのうちＰＭＣＨ（Ｐｈｙｓｉｃａｌ  Ｍｕｌｔｉｃａｓｔ  Ｃｈａｎｎｅｌ）をデコードするサブフレームを指示する第２指示情報を獲得する送受信機と；
第１サブフレームが前記ＭＢＳＦＮサブフレームとして指示されたが、ＰＭＣＨをデコードするように指示されず、ＰＲＳ（Ｐｏｓｉｔｉｏｎｉｎｇ  Ｒｅｆｅｒｅｎｃｅ  Ｓｉｇｎａｌ）のためのサブフレームではない場合、前記第１サブフレームのＰＤＣＣＨ（Ｐｈｙｓｉｃａｌ  Ｄｏｗｎｌｉｎｋ  Ｃｏｎｔｒｏｌ  ＣＨａｎｎｅｌ）を受信して相当するＰＤＳＣＨ（Ｐｈｙｓｉｃａｌ  Ｄｏｗｎｌｉｎｋ  Ｓｈａｒｅｄ  ＣＨａｎｎｅｌ）をデコーディングする制御部と；を含むことを特徴とするユーザ装置。
【請求項９】
前記送受信機は、
ＭＣＨ（Ｍｕｌｔｉｃａｓｔ  ＣＨａｎｎｅｌ）スケジューリング情報を前記第２指示情報として獲得し、
前記制御部は、
前記第１サブフレームが前記第１指示情報によって前記ＭＢＳＦＮサブフレームとして指示されたが、前記ＭＣＨスケジューリング情報によってＰＭＣＨをデコードするように指示されず、ＰＲＳのためのサブフレームではない場合、前記第１サブフレームのＰＤＣＣＨを受信して相当するＰＤＳＣＨをデコーディングすることを特徴とする請求項８に記載のユーザ装置。
【請求項１０】
前記送受信機は、ＭＣＨ（Ｍｕｌｔｉｃａｓｔ  ＣＨａｎｎｅｌ）スケジューリング情報から前記ＭＢＳＦＮサブフレームとして指示されたが、ＭＴＣＨ（Ｍｕｌｔｉｃａｓｔ  Ｔｒａｆｆｉｃ  ＣＨａｎｎｅｌ）の伝送が中断されるサブフレームを指示する中断サブフレーム指示情報を前記第２指示情報として獲得し、
前記制御部は、
前記第１サブフレームが前記ＭＴＣＨの伝送が中断されるサブフレームとして指示された場合、前記第１サブフレームのＰＤＣＣＨを受信して相当するＰＤＳＣＨをデコーディングすることを特徴とする請求項９に記載のユーザ装置。
【請求項１１】
前記制御部は、前記第１サブフレームが前記ＰＭＣＨをデコードするように指示された場合、前記第１サブフレームのＰＭＣＨを受信してデコーディングすることを特徴とする請求項８に記載のユーザ装置。
【請求項１２】
前記制御部は、前記第１サブフレームが前記ＰＭＣＨをデコードするように指示された場合、前記第１サブフレームのＰＤＣＣＨを受信しないことを特徴とする請求項１１に記載のユーザ装置。
【請求項１３】
前記制御部は、前記第１サブフレームが前記ＰＭＣＨをデコードするように指示された場合、前記サブフレームを拡張された循環前置を適用してデコードすることを特徴とする請求項１１に記載のユーザ装置。
【請求項１４】
前記制御部は、前記第１サブフレームが前記ＰＭＣＨをデコードするように指示されない場合、前記サブフレームを拡張された循環前置及び一般循環前置の両方を適用してデコードすることを特徴とする請求項１３に記載のユーザ装置。
【発明の詳細な説明】
【技術分野】
【０００１】
本発明は、通信システム（ｃｏｍｍｕｎｉｃａｔｉｏｎ  ｓｙｓｔｅｍ）のための方法及び装置に関する。より詳細には、本発明は、ＭＵＬＴＩＭＥＤＩＡ  ＢＲＯＡＤＣＡＳＴ  ＭＵＬＴＩＣＡＳＴ  ＳＥＲＶＩＣＥ（ＭＢＭＳ）を支援するユーザ装置（ＵＥ：Ｕｓｅｒ  Ｅｑｕｉｐｍｅｎｔ）がデータを受信するための方法及び装置に関する。
【背景技術】
【０００２】
一般的に移動通信システムは、ユーザの移動性を確保しながら通信を提供するための目的で開発された。このような移動通信システムは、技術の発展に伴い、音声通信はもちろん、高速のデータ通信サービスを提供することができる段階になった。
【０００３】
近年、３ＧＰＰ（３ｒｄ  Ｇｅｎｅｒａｔｉｏｎ  Ｐａｒｔｎｅｒｓｈｉｐ  Ｐｒｏｊｅｃｔ）で次世代移動通信システムであるＬＴＥ（Ｌｏｎｇ  Ｔｅｒｍ  Ｅｖｏｌｕｔｉｏｎ）に対する規格作業が進行中にある。具現において、ＬＴＥシステムは、１００Ｍｂｐｓ程度の最大伝送速度を有する高速パケット基盤通信を提供する。このような伝送速度を支援するために、ＬＴＥシステムは、さまざまな方案を含んでいるが、例えば、ネットワークの構造を簡単にして通信路上に位置するノードの数を減らす方案や、無線プロトコルを最大限無線チャネルに近接させる方案などを含む。
【０００４】
データサービスは、音声サービスとは異なって、伝送しようとするデータの量とチャネル状況によって割り当てることができる資源などが決定される。したがって、移動通信システムのような無線通信システムでは、スケジューラで伝送しようとする資源の量とチャネルの状況及びデータの量などを考慮して伝送資源を割り当てるなどの管理が行われる。これは、ＬＴＥシステムでも同一に行われる。それで、基地局に位置するスケジューラが無線伝送資源を管理し割り当てる。
【０００５】
最近、ＬＴＥ通信システムにさまざまな新技術を結合して伝送速度を向上させるＬＴＥ−Ａｄｖａｎｃｅｄ（ＬＴＥ−Ａ）として言及される進化したＬＴＥ通信システムに対する論議が本格化されている。進化したＬＴＥ−Ａシステムは、ＭＢＭＳ（ＭＵＬＴＩＭＥＤＩＡ  ＢＲＯＡＤＣＡＳＴ  ＭＵＬＴＩＣＡＳＴ  ＳＥＲＶＩＣＥ）の改善をも含む。ＭＢＭＳは、ＬＴＥシステムを通じて提供される放送サービスである。
【０００６】
図１は、従来のＭＢＭＳ網構成図である。
【０００７】
図１を参照すれば、ＭＢＭＳサービス領域１００は、ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）伝送を行うことができる複数の基地局よりなるネットワーク領域である。ＭＢＳＦＮ領域１０５は、ＭＢＳＦＮ伝送のために、統合された複数のセルで構成されたネットワーク領域である。ＭＢＳＦＮ領域１０５内のセルは、いずれもＭＢＳＦＮ伝送が同期化されている。ＭＢＳＦＮ領域予約されたセル（ＭＢＳＦＮ  Ａｒｅａ  Ｒｅｓｅｒｖｅｄ  Ｃｅｌｌｓ）１１０を除いたすべてのセルは、ＭＢＳＦＮ伝送に利用される。ＭＢＳＦＮ領域予約されたセル１１０は、ＭＢＳＦＮ伝送に利用されないセルに、他の目的のためにデータを伝送することができる。しかし、ＭＢＳＦＮ領域予約されたセル１１０が他の目的のためにデータを伝送するときにも、ＭＢＳＦＮ伝送に割り当てられた無線資源に対しては、制限された伝送電力だけが許容されることができる。
【発明の概要】
【発明が解決しようとする課題】
【０００８】
本発明は、前述した問題点及び／または短所を解決し、後述する少なくとも１つの長所を提供するためのものである。したがって、本発明の一実施形態の目的は、ＭＵＬＴＩＭＥＤＩＡ  ＢＲＯＡＤＣＡＳＴ  ＭＵＬＴＩＣＡＳＴ  ＳＥＲＶＩＣＥ（ＭＢＭＳ）を支援するユーザ装置が効率的にデータを受信することができるデータ受信方法を提供することにある。
【課題を解決するための手段】
【０００９】
前述した問題点を解決するために、本発明の一実施形態によるＭＢＭＳを支援するユーザ装置（ＵＥ：Ｕｓｅｒ  Ｅｑｕｉｐｍｅｎｔ）がデータを受信する方法は、ＭＢＳＦＮ（Ｍｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ）用途に予約された（ｒｅｓｅｒｖｅｄ）ＭＢＳＦＮサブフレームを指示する第１指示情報を獲得する段階と、前記ＭＢＳＦＮサブフレームのうちＰＭＣＨ（Ｐｈｙｓｉｃａｌ  Ｍｕｌｔｉｃａｓｔ  Ｃｈａｎｎｅｌ）をデコードするサブフレームを指示する第２指示情報を獲得する第２獲得段階と、第１サブフレームが前記ＭＢＳＦＮサブフレームとして指示されたが、ＰＭＣＨをデコードするように指示されず、ＰＲＳ（Ｐｏｓｉｔｉｏｎｉｎｇ  Ｒｅｆｅｒｅｎｃｅ  Ｓｉｇｎａｌ）のためのサブフレームではない場合、前記第１サブフレームのＰＤＣＣＨ（Ｐｈｙｓｉｃａｌ  Ｄｏｗｎｌｉｎｋ  Ｃｏｎｔｒｏｌ  ＣＨａｎｎｅｌ）を受信して相当するＰＤＳＣＨ（Ｐｈｙｓｉｃａｌ  Ｄｏｗｎｌｉｎｋ  Ｓｈａｒｅｄ  ＣＨａｎｎｅｌ）をデコーディングする処理段階とを含むことができる。
【００１０】
前述した問題点を解決するために、本発明の一実施形態によるＭＢＭＳを支援するユーザ装置（ＵＥ）は、ＭＢＳＦＮ用途に予約された（ｒｅｓｅｒｖｅｄ）ＭＢＳＦＮサブフレームを指示する第１指示情報を獲得し、前記ＭＢＳＦＮサブフレームのうちＰＭＣＨ（Ｐｈｙｓｉｃａｌ  Ｍｕｌｔｉｃａｓｔ  Ｃｈａｎｎｅｌ）をデコードするサブフレームを指示する第２指示情報を獲得する送受信機と、第１サブフレームが前記ＭＢＳＦＮサブフレームとして指示されたが、ＰＭＣＨをデコードするように指示されず、ＰＲＳのためのサブフレームではない場合、前記第１サブフレームのＰＤＣＣＨを受信して相当するＰＤＳＣＨをデコーディングする制御部とを含むことができる。
【００１１】
本発明の他の実施形態、効果及び顕著な特徴は、当該発明の属する技術分野における通常の知識を有する者に、添付の図面との組合を考慮して、本発明の好ましい実施形態説明した下記の詳細な説明から明白になる。
【図面の簡単な説明】
【００１２】
本発明の特定実施形態の特徴及び効果は、添付の図面との組合を考慮して、本発明の好ましい実施形態を説明した下記の詳細な説明からさらに明白になる：
【図１】従来のＭＵＬＴＩＭＥＤＩＡ  ＢＲＯＡＤＣＡＳＴ  ＭＵＬＴＩＣＡＳＴ  ＳＥＲＶＩＣＥ（ＭＢＭＳ）網構成図である。
【図２】本発明の一実施形態によるＭｕｌｔｉｃａｓｔ／Ｂｒｏａｄｃａｓｔ  ｏｖｅｒ  ａ  Ｓｉｎｇｌｅ  Ｆｒｅｑｕｅｎｃｙ  Ｎｅｔｗｏｒｋ（ＭＢＳＦＮ）伝送のために使用される下向きリンクチャネルマッピング図である。
【図３】本発明の一実施形態によるＬｏｎｇ  Ｔｅｒｍ  Ｅｖｏｌｕｔｉｏｎ（ＬＴＥ）システムで使用される下向きリンクフレーム構造図である。
【図４】本発明の一実施形態によるユーザ装置（ＵＥ）がＭＢＳＦＮ受信する過程を説明するための図である。
【図５】本発明の第１実施形態によるユーザ装置のデータ受信過程の流れ図である。
【図６】本発明の一実施形態によるスケジューリング情報の構造図である。
【図７】本発明の第２実施形態によるユーザ装置のデータ受信過程の流れ図である。
【図８】本発明の一実施形態によるユーザ装置のブロック構成図である。  図面において、同じ参照番号は、同一または対応する構成要素、特徴及び構造を指示するのに使用される。
【発明を実施するための形態】
【００１３】
特許請求範囲及びその均等概念によって定義されたように、本発明の実施形態の理解を助けるために、以下、添付の図面を参照して詳細に説明する。本発明の実施形態を詳細に説明するが、本発明が実施形態によって制限されるか、または限定されるものではない。したがって、本発明の属する技術分野における通常の知識を有する者は、本発明がその技術的思想や必須な特徴を変更することなく、他の具体的な形態で実施されることができることを理解することができる。なお、本発明の要旨を不明にせず、さらに明確に伝達するために、本発明の属する技術分野によく知られている技術内容に対しては、説明を省略する。
【００１４】
本明細書で使用される用語及び単語は、辞書の意味に制限されず、ただ本発明が明らかで且つ矛盾なしに理解され得るように発明者によって使用される。したがって、後述する本発明の実施形態について説明は、本発明を特許請求範囲及びその均等概念によって定義されたものに制限しようとする目的ではなく、説明するための目的で提供されるものであることを本発明の属する技術分野における通常の知識を有する者に明らかに認識されなければならないことを明らかにする。
【００１５】
単数の表現は、文脈上明白に異なって意味しない限り、複数の表現を含むものと理解されなければならない。
【００１６】
本発明は、ＭＵＬＴＩＭＥＤＩＡ  ＢＲＯＡＤＣＡＳＴ  ＭＵＬＴＩＣＡＳＴ  ＳＥＲＶＩＣＥ（ＭＢＭＳ）サービスを受信するユーザ装置がＭｕｌｔｉｃａｓｔ／Ｂｒｏａｄｃａｓｔ  ｏｖｅｒ  ａ  Ｓｉｎｇｌｅ  ＦｒｅｑｕｅｎｃｙＮｅｔｗｏｒｋ（ＭＢＳＦＮ）サブフレームでのＰｈｙｓｉｃａｌ  Ｄｏｗｎｌｉｎｋ  Ｓｈａｒｅｄ  ＣＨａｎｎｅｌ（ＰＤＳＣＨ）受信のために二重デコーディング／バッファリング（ｄｏｕｂｌｅ  ｄｅｃｏｄｉｎｇ／ｂｕｆｆｅｒｉｎｇ）をしないようにする方案を提供する。
【００１７】
図２は、本発明の一実施形態によるＭＢＳＦＮ伝送のために使用される下向きリンクチャネルマッピング図である。
【００１８】
図２を参照すれば、Ｍｅｄｉａ  Ａｃｃｅｓｓ  Ｃｏｎｔｒｏｌ（ＭＡＣ）階層と物理階層との間では、Ｍｕｌｔｉｃａｓｔ  ＣＨａｎｎｅｌ（ＭＣＨ）２００が利用され、ＭＣＨは、物理階層のＰＭＣＨ（Ｐｈｙｓｉｃａｌ  Ｍｕｌｔｉｃａｓｔ  Ｃｈａｎｎｅｌ）２０５とマッピングされる。ユニキャストの目的のためには、主にＰｈｙｓｉｃａｌ  Ｄｏｗｎｌｉｎｋ  Ｓｈａｒｅｄ  Ｃｈａｎｎｅｌ（ＰＤＳＣＨ）２１０が利用される。
【００１９】
図３は、本発明の一実施形態によるＬｏｎｇ  Ｔｅｒｍ  Ｅｖｏｌｕｔｉｏｎ（ＬＴＥ）システムで使用される下向きリンクフレーム構造図である。
【００２０】
図３を参照すれば、ラジオフレーム３００は、１０個のサブフレーム３０５よりなり、それぞれのサブフレームは、一般的なデータ送受信のために使用される「一般サブフレーム３１０」または放送のために使用される「ＭＢＳＦＮ（ＭＵＬＴＩＭＥＤＩＡ  ＢＲＯＡＤＣＡＳＴ  ＭＵＬＴＩＣＡＳＴ  ＳＥＲＶＩＣＥ  Ｓｉｎｇｌｅ  Ｆｒｅｑｕｅｎｃｙ  Ｎｅｔｗｏｒｋ、以下、ＭＢＳＦＮと称する）サブフレーム３１５」として存在する。一般サブフレームとＭＢＳＦＮサブフレームは、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ）シンボルの個数、循環前置（Ｃｙｃｌｉｃ  ｐｒｅｆｉｘ）の長さ、セル特定基準信号（ｃｅｌｌ−ｓｐｅｃｉｆｉｃ  ｒｅｆｅｒｅｎｃｅ  ｓｉｇｎａｌｓ、ＣＲＳ）などの構造及び個数で差がある。
【００２１】
Ｒｅｌ−８、Ｒｅｌ−９システムにおいてＭＢＳＦＮサブフレームは、ブロードキャスト（ｂｒｏａｄｃａｓｔ）あるいはマルチキャスト（ｍｕｌｔｉｃａｓｔ）データを伝送するなどの目的だけで使用された。しかし、システムが進化し、ＬＴＥ  Ｒｅｌ−１０システムからは、ＭＢＳＦＮサブフレームがブロードキャストあるいはマルチキャストの目的だけでなく、ユニキャスト（ｕｎｉｃａｓｔ）の目的でも使用が可能になった。
【００２２】
ＬＴＥシステムでは、物理下向き共有チャネルＰｈｙｓｉｃａｌ  Ｄｏｗｎｌｉｎｋ  Ｓｈａｒｅｄ  ＣＨａｎｎｅｌ（ＰＤＳＣＨ）を効率的に使用するために、複数−アンテナ（Ｍｕｌｔｉ−ａｎｔｅｎｎａ）技術及びＲＳ（Ｒｅｆｅｒｅｎｃｅ  ｓｉｇｎａｌ）と関連した伝送モード（ＴＭ；Ｔｒａｎｓｍｉｓｓｉｏｎ  Ｍｏｄｅ）を区分して設定する。現在ＬＴＥ  Ｒｅｌ−１０では、ＴＭ１〜ＴＭ  ９が存在し、ここで、それぞれのユーザ装置は、ＰＤＳＣＨ伝送のために１つのＴＭを有し、ＴＭ  ８番がＲｅｌ−９で、ＴＭ  ９番がＲｅｌ−１０で新しく定義された。
【００２３】
ＴＭ  ９番は、最大８個のランクを有するｓｉｎｇｌｅ  ｕｓｅｒ−ｍｕｌｔｉ−ｉｎｐｕｔ  ｍｕｌｔｉ−ｏｕｔｐｕｔ（ＳＵ−ＭＩＭＯ）を支援する。ＴＭ  ９番は、多重レイヤーの伝送を支援し、復調（ｄｅ−ｍｏｄｕｌａｔｉｏｎ）時にＲｅｌ−１０  Ｄｅｍｏｄｕｌａｔｉｏｎ  Ｒｅｆｅｒｅｎｃｅ  Ｓｉｇｎａｌ（ＤＭＲＳ）を使用して、最大８個レイヤーの伝送を可能にする。また、前記Ｒｅｌ−１０システムでは、あらかじめコーディングされた（ｐｒｅｃｏｄｅｄ）ＤＭＲＳが伝送されるが、当該プリコーダインデックス（ｐｒｅｃｏｄｅｒ  ｉｎｄｅｘ）を受信端に通知する必要がない。また、ＴＭ  ９番を支援するために、Ｒｅｌ−１０でＤＣＩ（Ｄｏｗｎｌｉｎｋ  Ｃｏｎｔｒｏｌ  Ｉｎｆｏｒｍａｔｉｏｎ、下向きリンク制御情報；以下、ＤＣＩという）フォーマット２Ｃが新規に定義された。
【００２４】
Ｒｅｌ−１０以前のユーザ装置は、ＭＢＳＦＮサブフレームでデコーディングを試みない。したがって、すべてのユーザ装置にＭＢＳＦＮサブフレームでデコーディングを試みるようにすることは、前記以前リリース（ｒｅｌｅａｓｅ）のユーザ装置のアップグレード要求につながる。本発明の実施例では、すべてのユーザ装置がＭＢＳＦＮサブフレームでユニキャストデータを受信するようにする代わりに、前記機能が必要な、例えば高速データ通信が必要なユーザ装置にのみ前記機能を適用する。前述したＴＭのうち特にＴＭ  ９は、多重アンテナを使用して伝送効率を極大化する伝送モードである。本発明の一実施形態において基地局は、ＭＢＳＦＮサブフレームでもユニキャストデータを受信することによって、データ処理量（ｔｈｒｏｕｇｈｐｕｔ）を高める必要があるユーザ装置には、ＴＭ  ９を設定し、ＴＭ  ９が設定されたユーザ装置だけがＭＢＳＦＮサブフレームでユニキャストデータを受信するようにする。
【００２５】
ＬＴＥシステムでは、ユニキャストデータ送受信が実際にどこで起きるかをＰＤＣＣＨで通知し、実際データは、ＰＤＳＣＨで伝送する。ユーザ装置は、実際データを受信する前に、ＰＤＣＣＨを分析し、前記ユーザ装置に割り当てられた資源割り当て情報があるか否かを判断しなければならない。
【００２６】
ＭＢＳＦＮは、さらに複雑な過程を通じて、資源割り当て情報を獲得する。基地局は、ブロードキャスト情報であるＳｙｓｔｅｍ  Ｉｎｆｏｒｍａｔｉｏｎ  Ｂｌｏｃｋ（ＳＩＢ）＿１３を通じて、ユーザ装置にセルが提供している各ＭＢＳＦＮ領域のＭｕｌｔｉｃａｓｔ  Ｃｏｎｔｒｏｌ  Ｃｈａｎｎｅｌ（ＭＣＣＨ）の伝送位置を通知する。ＭＣＣＨは、ＭＢＳＦＮのための資源割り当て情報を含んでおり、ユーザ装置は、ＭＣＣＨをデコーディングし、ＭＢＳＦＮサブフレームの伝送位置を把握することができる。ＭＢＭＳが従来のユニキャストと異なる方式を通じて、資源割り当て情報を提供する理由は、ＭＢＭＳが待機モードにあるユーザ装置にも提供することが可能でなければならないからである。したがって、制御チャネルであるＭＣＣＨの伝送位置は、ブロードキャスト情報であるＳＩＢ１３を通じて伝達する。
【００２７】
図４は、ユーザ装置がＭＢＳＦＮ受信する過程を説明するための図面である。
【００２８】
図４を参照すれば、ユーザ装置４００は、基地局（例えば、ｅｖｏｌｖｅｄ  Ｎｏｄｅ  Ｂ（ｅＮＢ））４０５から４１０段階でＳＩＢ２を受信する。ＳＩＢ２のＭＢＳＦＮ−ＳｕｂｆｒａｍｅＣｏｎｆｉｇＬｉｓｔ  Ｉｎｆｏｒｍａｔｉｏｎ  Ｅｌｅｍｅｎｔ（ＩＥ）には、ＭＢＳＦＮ伝送目的のために使用されることができるサブフレームを指示する情報が含まれる。ＭＢＳＦＮ−ＳｕｂｆｒａｍｅＣｏｎｆｉｇＬｉｓｔ  ＩＥには、ＭＢＳＦＮ−ＳｕｂｆｒａｍｅＣｏｎｆｉｇ  ＩＥが含まれ、ＭＢＳＦＮ−ＳｕｂｆｒａｍｅＣｏｎｆｉｇ  ＩＥは、どのラジオフレーム（Ｒａｄｉｏｆｒａｍｅ）のどのサブフレーム（ｓｕｂｆｒａｍｅ）がＭＢＳＦＮサブフレームになることができるかを指示する。表１は、ＭＢＳＦＮ−ＳｕｂｆｒａｍｅＣｏｎｆｉｇ  ＩＥの構成表である。
【００２９】
【表１】
2014515901.tif 000003
ここで、ｒａｄｉｏＦｒａｍｅＡｌｌｏｃａｔｉｏｎＰｅｒｉｏｄとｒａｄｉｏＦｒａｍｅＡｌｌｏｃａｔｉｏｎＯｆｆｓｅｔは、ＭＢＳＦＮサブフレームを含むラジオフレームを指示するのに利用される。下記の数式１を満たすラジオフレームは、ＭＢＳＦＮサブフレームを有する。
【００３０】
【数１】
2014515901.tif 000004
【００３１】
数式１で、ＳＦＮは、システムフレーム番号（Ｓｙｓｔｅｍ  Ｆｒａｍｅ  Ｎｕｍｂｅｒ）であり、ラジオフレーム番号を指示する。ＳＦＮは、０から１０２３の範囲を持って、繰り返される。ｓｕｂｆｒａｍｅＡｌｌｏｃａｔｉｏｎは、前記数式１によって指示されたラジオフレーム内でどのサブフレームがＭＢＳＦＮサブフレームであるかを指示する。ｓｕｂｆｒａｍｅＡｌｌｏｃａｔｉｏｎは、１つのラジオフレーム単位または４つのラジオフレーム単位でＭＢＳＦＮサブフレームを指示することができる。１つのラジオフレーム単位を利用する場合、ＭＢＳＦＮサブフレームは、ｏｎｅＦｒａｍｅ  ＩＥに指示される。ＭＢＳＦＮサブフレームは、１つのラジオフレーム内の総１０個のサブフレームのうち、１、２、３、６、７、８番目サブフレームのうちいずれか１つ以上のサブフレームに存在することができる。したがって、ｏｎｅＦｒａｍｅ  ＩＥは、６ビットを利用して前記羅列されたサブフレームのうちＭＢＳＦＮサブフレームを指示する。４つのラジオフレーム単位を利用する場合、ＭＢＳＦＮサブフレームは、ｆｏｕｒＦｒａｍｅｓ  ＩＥに指示される。４つのラジオフレームをカバーするために総２４ビットを利用して、ラジオフレームごとに前記羅列されたサブフレームのうちＭＢＳＦＮサブフレームを指示する。したがって、ユーザ装置は、ＭＢＳＦＮ−ＳｕｂｆｒａｍｅＣｏｎｆｉｇＬｉｓｔ  ＩＥを利用して正確にＭＢＳＦＮサブフレームになり得るサブフレームを把握することができる。もしユーザ装置４００がＭＢＳＦＮ受信を希望すれば、ユーザ装置４００は、基地局４０５からＳＩＢ１３を４１５段階で受信する。ＳＩＢ１３のＭＢＳＦＮ−ＡｒｅａＩｎｆｏＬｉｓｔ  ＩＥには、セルが提供している各ＭＢＳＦＮ領域のＭＣＣＨが伝送される位置情報が含まれ、この情報を利用して、ユーザ装置４００は、ＭＣＣＨを４２０段階で受信する。ＭＣＣＨのＭＢＳＦＮＡｒｅａＣｏｎｆｉｇｕｒａｔｉｏｎ  ＩＥには、ＭＢＳＦＮ伝送のために利用される資源の位置を指示する情報が含まれて、ユーザ装置４００は、この情報を利用して、ＭＢＳＦＮサブフレームを４２５段階で受信する。ユーザ装置４００は、受信したＭＡＣ  ＰＤＵのＭＡＣ  ＣＥ（Ｃｏｎｔｒｏｌ  Ｅｌｅｍｅｎｔ）のうち１つである、ＭＣＨスケジューリング情報（ｓｃｈｅｄｕｌｉｎｇ  ｉｎｆｏｒｍａｔｉｏｎ）ＭＡＣ  ＣＥで所望のＭｕｌｔｉｃａｓｔ  Ｔｒａｆｆｉｃ  ＣＨａｎｎｅｌ（ＭＴＣＨ）が伝送されるＭＢＳＦＮサブフレームの位置を４３０段階で獲得する。ユーザ装置は、ＭＣＨスケジューリング情報（ｓｃｈｅｄｕｌｉｎｇ  ｉｎｆｏｒｍａｔｉｏｎ）を利用して、所望のＭＴＣＨを４３５段階でデコーディングする。
【００３２】
前述したように、ＬＴＥ  Ｒｅｌ−１０では、ＴＭ  ９ユーザ装置に限ってＭＢＳＦＮ伝送のために割り当てられたサブフレームをユニキャスト目的に専用することができる。すなわち、ＳＩＢ２のＭＢＳＦＮ−ＳｕｂｆｒａｍｅＣｏｎｆｉｇＬｉｓｔ  ＩＥにＭＢＳＦＮサブフレームとして予約（ｒｅｓｅｒｖｅ）されたサブフレームであっても、ＴＭ  ９ユーザ装置は、ユニキャスト目的に利用することができる。ユニキャスト目的に使用されるサブフレームに対しては、一般循環前置（ｎｏｒｍａｌ  ＣＰ；ｎｏｒｍａｌ  Ｃｙｃｌｉｃ  Ｐｒｅｆｉｘ）または拡張された循環前置（ｅｘｔｅｎｄｅｄ  ＣＰ；ｅｘｔｅｎｄｅｄ  Ｃｙｃｌｉｃ  Ｐｒｅｆｉｘ）がいずれも適用可能である。しかし、ＭＢＳＦＮサブフレームに対しては、拡張された循環前置だけが適用可能である。したがって、ＭＢＳＦＮ−ＳｕｂｆｒａｍｅＣｏｎｆｉｇＬｉｓｔ  ＩＥにＭＢＳＦＮサブフレームとして指示されたサブフレームに対して実際ＭＢＳＦＮ伝送目的であるか、またはユニキャスト目的であるかを事前に通知しなければ、ユーザ装置は、当該ＭＢＳＦＮサブフレームに対して、一般ＣＰと拡張されたＣＰをそれぞれ適用して２回のデコーディングを試みなければならない。目的が判別された後、適合なＣＰ種類が適用されないデコーディング結果は、廃棄される。このような二重デコーディング／バッファリング（ｄｏｕｂｌｅｄｅｃｏｄｉｎｇ／ｂｕｆｆｅｒｉｎｇ）ユーザ装置動作は、ユーザ装置に増加したシステム負荷を引き起こすので、効率的にこれを制御することができる方法が要求される。
【００３３】
第１実施例
【００３４】
ユーザ装置は、ＳＩＢ２を通じてＭＢＳＦＮ−ＳｕｂｆｒａｍｅＣｏｎｆｉｇＬｉｓｔ  ＩＥを獲得し、当該セルのどんなサブフレームがＭＢＳＦＮサブフレームのために使用されることができるかどうかを判断する。ＴＭ  ９が設定されないユーザ装置は、ＭＢＳＦＮサブフレームをユニキャスト目的に使用することができない。したがって、ＭＢＭＳサービス可否によって下記のように動作する。
【００３５】
・ＴＭ  ９が設定されず、ＭＢＭＳサービスを受信しないユーザ装置
【００３６】
−ＭＢＳＦＮサブフレームでユニキャスト目的のＰＤＳＣＨ受信がないので、受信されたＤｏｎｗＬｉｎｋ（ＤＬ）割り当て（ａｓｓｉｇｎｍｅｎｔ）は、無視される。ＵｐＬｉｎｋ（ＵＬ）グラント（ｇｒａｎｔ）とＰｈｙｓｉｃａｌ  Ｈｙｂｒｉｄ  Ａｕｔｏｍａｔｉｃ  Ｒｅｐｅａｔ  ｒｅｑｕｅｓｔ（ＨＡＲＱ）Ｉｎｄｉｃａｔｏｒ  Ｃｈａｎｎｅｌ（ＰＨＩＣＨ）に対しては、正常に処理する。
【００３７】
・ＴＭ  ９が設定されず、ＭＢＭＳを受信するユーザ装置
【００３８】
−ＭＣＣＨのＭＢＭＳ設定（ｃｏｎｆｉｇｕｒａｔｉｏｎ）情報とＰＭＣＨのＭＣＨスケジューリング情報を獲得し、どんなＭＢＳＦＮサブフレームに自分が受信するＭＢＭＳサービスが伝送されるかを確認する。
【００３９】
−前記ＭＢＳＦＮサブフレームは、拡張された（ｅｘｔｅｎｄｅｄ）ＣＰを適用してデコーディングされる。
【００４０】
−残りのＭＢＳＦＮサブフレームでは、ＰＤＳＣＨ受信がないので、受信されたＤＬ割り当て（ａｓｓｉｇｎｍｅｎｔ）は、無視される。ＵＬグラント（ｇｒａｎｔ）とＰＨＩＣＨに対しては、正常に処理する。
【００４１】
ＴＭ  ９が設定されたユーザ装置は、ＭＢＳＦＮサブフレームをユニキャスト目的に使用することができる。したがって、ＭＢＭＳサービス可否によって下記のように動作する。
【００４２】
・ＴＭ  ９が設定され、ＭＢＭＳサービスを受信するユーザ装置
【００４３】
−ＭＣＣＨのＭＢＭＳ設定情報とＰＭＣＨのＭＣＨスケジューリング情報を獲得し、どんなＭＢＳＦＮサブフレームに自分が受信するＭＢＭＳサービスが伝送されるかを確認する。
【００４４】
−前記ＭＢＳＦＮサブフレームは、拡張されたＣＰを適用してデコーディングされる。
【００４５】
−ＭＣＨスケジューリング情報を利用してどんなＭＢＳＦＮサブフレームに（自分が受信中のＭＢＭＳサービスを除いた残り）ＭＢＭＳサービスが伝送されるかを把握する。
【００４６】
−前記ＭＢＭＳサービスが伝送されるＭＢＳＦＮサブフレームでは、ＤＬ割り当てがないものと判断し、ＤＬ割り当てが受信されても無視する。ＵＬグラントやＰＨＩＣＨに対しては、正常に処理する。
【００４７】
−前記過程によって、ＰＭＣＨデコーディングが指示された（あるいは、ＭＢＭＳサービスが伝送される）ＭＢＳＦＮサブフレームあるいはＴＭ−９ユーザ装置がＰｏｓｉｔｉｏｎｉｎｇ  Ｒｅｆｅｒｅｎｃｅ  Ｓｉｇｎａｌ（ＰＲＳ）サブフレーム設定によって発生したＰＲＳサブフレームオケージョン（ｓｕｂｆｒａｍｅ  ｏｃｃａｓｉｏｎ）を除いた残りのＭＢＳＦＮサブフレームでは、ＰＤＣＣＨを獲得し、当該ユーザ装置にスケジューリングされたＰＤＳＣＨをデコーディングする。この際、前記サブフレームでは、ＰＤＣＣＨデコーディングが完了するまで一般ＣＰを適用し、ＰＤＳＣＨデータをバッファリングする。
【００４８】
・ＴＭ  ９が設定され、ＭＢＭＳサービスを受信しないユーザ装置
【００４９】
−ＭＣＣＨのＭＢＭＳ設定情報とＰＭＣＨのＭＣＨスケジューリング情報を獲得し、どんなＭＢＳＦＮサブフレームにＭＢＭＳサービスが伝送されるかを確認する。
【００５０】
−前記ＭＢＳＦＮサブフレームでは、ＤＬ割り当てがないので、ＤＬ割り当てが受信されても無視する。ＵＬグラントやＰＨＩＣＨは、正常に処理する。もし前記情報を受信しなければ、前記ＭＢＳＦＮサブフレームでもＰＤＣＣＨを獲得し、当該ユーザ装置にスケジューリングされたＰＤＳＣＨをデコーディングする。この際、ＰＤＣＣＨデコーディングが完了するまで一般ＣＰを適用し、ＰＤＳＣＨデータをバッファリングする。
【００５１】
−前記過程によって、ＭＢＭＳサービスが伝送されるＭＢＳＦＮサブフレームあるいはＴＭ−９ユーザ装置がＰＲＳサブフレーム設定によって発生したＰＲＳサブフレームオケージョン（ｓｕｂｆｒａｍｅ  ｏｃｃａｓｉｏｎ）を除いた残りのＭＢＳＦＮサブフレームでは、ＰＤＣＣＨを獲得し、当該ユーザ装置にスケジューリングされたＰＤＳＣＨをデコーディングする。
【００５２】
・あるいは、ＴＭ  ９が設定され、有効なＭＢＭＳ設定情報と有効なＭＣＨスケジューリング情報を獲得したユーザ装置（あるいは持っているユーザ装置）
【００５３】
−前述した、「ＴＭ  ９が設定され、ＭＢＭＳサービスを受信しないユーザ装置」の場合と同一の動作を行う。
【００５４】
図５は、本発明の第１実施形態によるユーザ装置のデータ受信過程の流れ図である。
【００５５】
図５を参照すれば、ユーザ装置は、５００段階で、ＳＩＢ２を受信する。ユーザ装置は、５０５段階で、ＳＩＢ２にＭＢＳＦＮ−ＳｕｂｆｒａｍｅＣｏｎｆｉｇＬｉｓｔ  ＩＥが含まれているかをチェックする。ＳＩＢ２にＭＢＳＦＮ−ＳｕｂｆｒａｍｅＣｏｎｆｉｇＬｉｓｔ  ＩＥが含まれていなければ、ＭＢＳＦＮでＰＤＳＣＨを受信する過程を終了し、従来技術によって動作する。他方、ＳＩＢ２にＭＢＳＦＮ−ＳｕｂｆｒａｍｅＣｏｎｆｉｇＬｉｓｔ  ＩＥが含まれていたら、ユーザ装置は、５１０段階で、当該ユーザ装置に対して設定された伝送モードがＴＭ  ９であるかを決定する。当該ユーザ装置に対して設定された伝送モードがＴＭ  ９ではないなら、ＭＢＳＦＮでＰＤＳＣＨを受信する過程を終了し、従来技術によって動作する。
【００５６】
他方で、当該ユーザ装置に対して設定された伝送モードがＴＭ  ９なら、ユーザ装置は、５１５段階で、ＳＩＢ１３を受信し、ＭＢＭＳ設定情報（ｃｏｎｆｉｇｕｒａｔｉｏｎ  ｉｎｆｏｒｍａｔｉｏｎ）（すなわち、ＭＢＳＦＮ−ＡｒｅａＩｎｆｏＬｉｓｔ  ＩＥ）を獲得する。ＭＢＭＳ設定情報は、ユーザ装置が当該セルでＭＢＭＳサービスを受けるために必要な情報を含む。例えば、ＭＢＭＳ制御情報が伝送されるＭＣＣＨ構成情報などが含まれる。ユーザ装置は、５２０段階で、ＭＢＭＳ設定情報を利用してＭＣＣＨのＭＢＳＦＮＡｒｅａＣｏｎｆｉｇｕｒａｔｉｏｎ情報を獲得する。ユーザ装置は、ＭＢＳＦＮＡｒｅａＣｏｎｆｉｇｕｒａｔｉｏｎ情報で各ＭＢＳＦＮ領域（ａｒｅａ）のＰＭＣＨ構成を確認し、ＰＭＣＨを受信し、ＭＣＨスケジューリング情報（ＳＩ；Ｓｃｈｅｄｕｌｉｎｇ  Ｉｎｆｏｒｍａｔｉｏｎ）を獲得する。前記ＭＣＨスケジューリング情報は、各ＰＭＣＨに対してＭＴＣＨが伝送されるＭＢＳＦＮサブフレームを指示し、ユーザ装置は、通常自分が受信することを希望する（ｉｎｔｅｒｅｓｔｅｄ  ｔｏ  ｒｅｃｅｉｖｅ）ＭＢＭＳサービスに対応するＭＴＣＨを受信する。本実施例において、ＴＭ  ９ユーザ装置は、前記ＭＣＨスケジューリング情報を利用してどんなＭＢＳＦＮサブフレームでＭＢＭＳサービスが提供されるかを持続的に把握し、前記ＭＢＭＳサービスが提供されるＭＢＳＦＮサブフレームでは、ＰＤＳＣＨ伝送が行われないという事実を認知し、当該ＭＢＳＦＮサブフレームでは、ＰＤＳＣＨをバッファリングしない。
【００５７】
ユーザ装置は、各ＭＢＳＦＮサブフレームごとに、当該ＭＢＳＦＮサブフレームが実際ＰＭＣＨ伝送のためのＭＢＳＦＮサブフレームであるかを判断する。ユーザ装置は、ＭＣＨスケジューリング情報を利用して前記判断を行う。もしユーザ装置がまだＭＣＨスケジューリング情報を獲得しなければ、すべてのＭＢＳＦＮサブフレームがＰＭＣＨ伝送のためのＭＢＳＦＮサブフレームではないものと判断する。これは、もしユーザ装置が特定ＭＢＳＦＮフレームがＰＭＣＨ伝送のためのＭＢＳＦＮサブフレームであるものと判断すれば、当該ＭＢＳＦＮフレームでＰＤＳＣＨ受信が不可能だからである。任意のＭＢＳＦＮサブフレームがＰＭＣＨ伝送のためのものであるか否かを判断することができなければ、ユーザ装置は、当該ＭＢＳＦＮサブフレームがＰＭＣＨ伝送のためのものではないと見なすことが好ましい。ＰＭＣＨ伝送は、ＭＣＣＨ伝送、ＭＴＣＨ伝送、ＭＣＨスケジューリング情報伝送で行われる。前記ＰＭＣＨは、各ＭＢＳＦＮ領域に対して設定され（したがって、ＭＣＨスケジューリング情報も各ＭＢＳＦＮ領域に対して定義され伝送される）、通常、ユーザ装置は、自分が受信することを希望するＭＢＭＳサービスが提供されるＭＢＳＦＮ領域のＰＭＣＨだけを受信する。本発明の一実施形態によれば、ユーザ装置は、自分が受信することを希望するＭＢＭＳサービスが提供されるＭＢＳＦＮ領域だけでなく、当該セルが属するすべてのＭＢＳＦＮ領域のＭＣＨスケジューリング情報を獲得し、ＰＭＣＨ伝送のためのすべてのＭＢＳＦＮサブフレームを認知することもできる。これにより、ＰＤＳＣＨ伝送が可能なＭＢＳＦＮサブフレームを最小限に圧縮し、データ領域バッファリング（ｄａｔａ  ｒｅｇｉｏｎ  ｂｕｆｆｅｒｉｎｇ）を最小化し、ＤＬ割り当ての誤った通知（ｆａｌｓｅ  ａｌａｒｍ）を最小化する。
【００５８】
ユーザ装置は、実際ＰＭＣＨ伝送のためのＭＢＳＦＮサブフレームを決定以外に、ＭＢＳＦＮサブフレームにＰＲＳが存在するかをも決定する。ＰＲＳは、ユーザ装置の位置情報を獲得するのに使用されるポジショニング（Ｐｏｓｉｔｉｏｎｉｎｇ）方法を駆動するのに利用される基準信号（ｒｅｆｅｒｅｎｃｅ  ｓｉｇｎａｌ）の一種類である。ＰＲＳのためのサブフレームの位置は、ポジショニングサーバーから提供され、Ｎｏｎ−Ａｃｃｅｓｓ−Ｓｔｒａｔｕｍ（ＮＡＳ）コンテナ（ｃｏｎｔａｉｎｅｒ）を通じてユーザ装置に提供される。ユーザ装置は、ＰＲＳを伝送するサブフレームの位置は、ＰＲＳ−Ｉｎｆｏ  ＩＥを通じて分かる。下記の表２は、ＰＲＳ−Ｉｎｆｏ  ＩＥの構成表である。
【００５９】
【表２】
2014515901.tif 000005
表２で、ｐｒｓ−Ｂａｎｄｗｉｄｔｈは、ＰＲＳ伝送のために使用される周波数帯域幅を指示する。例えば、ｎ６は、６  Ｒｅｓｏｕｒｃｅ  Ｂｌｏｃｋｓ（ＲＢｓ）を意味する。ｐｒｓ−ＣｏｎｆｉｇｕｒａｔｉｏｎＩｎｄｅｘは、ＰＲＳ周期とオフセット値を指示するのに利用される。ｎｕｍＤＬ−Ｆｒａｍｅｓは、ＰＲＳ伝送がＮＰＲＳ個のサブフレームで連続的に起きるかを指示する。ＰＲＳ伝送をするＮＰＲＳ個の連続したサブフレームを１つのＰＲＳポジショニングオケージョン（ｐｏｓｉｔｉｏｎｉｎｇ  ｏｃｃａｓｉｏｎ）と称する。ＰＲＳポジショニングオケージョン（ｐｏｓｉｔｉｏｎｉｎｇ  ｏｃｃａｓｉｏｎ）は、周期的に繰り返して伝送され、ｐｒｓ−ＭｕｔｉｎｇＩｎｆｏ  ＩＥを通じて特定時点でのＰＲＳポジショニングオケージョン（ｐｏｓｉｔｉｏｎｉｎｇ  ｏｃｃａｓｉｏｎ）をミュート（ｍｕｔｅ）させる。ミュートさせるパターンは、ＰＲＳポジショニングオケージョン（ｐｏｓｉｔｉｏｎｉｎｇ  ｏｃｃａｓｉｏｎ）単位の周期を有し、２、４、８、１６のうち１つの周期を有する。ユーザ装置は、周期内でどのＰＲＳポジショニングオケージョン（ｐｏｓｉｔｉｏｎｉｎｇｏｃｃａｓｉｏｎ）をミュートさせるかどうかに対する情報をビットマップ形態で獲得することができる。したがって、ユーザ装置は、ＰＲＳ−Ｉｎｆｏ  ＩＥを利用して正確にＰＲＳが伝達されるサブフレームであることが分かる。
【００６０】
ユーザ装置は、５２５段階で、当該ＭＢＳＦＮサブフレームがＰＭＣＨ伝送のためのＭＢＳＦＮサブフレームまたはＰＲＳのためのサブフレームであるかを確認する。もし当該ＭＢＳＦＮサブフレームがＰＭＣＨまたはＰＲＳ伝送のためのサブフレームなら、ユーザ装置は、当該ＭＢＳＦＮサブフレームをユニキャスト目的のＰＤＳＣＨサブフレームではないと判断する。この場合、過程は、段階５３５に進行する。反対に、当該ＭＢＳＦＮサブフレームがＰＭＣＨ伝送及びＰＲＳのうちいずれか一方のためのものではない場合、ユーザ装置は、当該ＭＢＳＦＮサブフレームをユニキャスト目的のＰＤＳＣＨサブフレームであると判断する。この場合、過程は、段階５３０に進行する。
【００６１】
ユーザ装置は、ＭＢＳＦＮサブフレームがＰＭＣＨ伝送のためのＭＢＳＦＮサブフレームであるか、ＰＲＳ伝送のためのサブフレームである場合、ユーザ装置は、段階５３５で、必要な動作を行う。ユーザ装置は、もし前記ＰＭＣＨ伝送が自分が受信しようとするＭＢＭＳサービスと関連したＰＭＣＨなら、すなわち自分が受信しようとするＭＢＭＳサービスに対するＭＣＣＨやＭＴＣＨやＭＣＨスケジューリング情報が伝送されるＭＢＳＦＮサブフレームなら、ユーザ装置は、データ領域（ｄａｔａ  ｒｅｇｉｏｎ）を受信し、拡張されたＣＰを適用してデコーディングする。もし自分が受信しようとするＭＢＭＳサービスと関係ないＰＭＣＨなら、ユーザ装置は、制御領域（ｃｏｎｔｒｏｌ  ｒｅｇｉｏｎ）（あるいは、非−ＭＢＳＦＮ領域（ｎｏｎ−ＭＢＳＦＮ  ｒｅｇｉｏｎ））だけを受信し、データ領域（ｄａｔａ  ｒｅｇｉｏｎ）（あるいは、ＭＢＳＦＮ領域（ｒｅｇｉｏｎ））は、受信しない。
【００６２】
ユーザ装置は、ＭＢＳＦＮサブフレームがＰＭＣＨ伝送のためのＭＢＳＦＮサブフレームではなく（すなわち、当該ＭＢＳＦＮサブフレームがＭＣＨスケジューリング情報で任意のＭＴＣＨ伝送が起きるものと指示されたＭＢＳＦＮサブフレームではない場合）、ＰＲＳ伝送がないサブフレームであると判断されれば、ユーザ装置は、５３０段階で、当該ＭＢＳＦＮサブフレームでＰＤＳＣＨ伝送があり得るものと判断し、必要な動作を行う。すなわち、制御領域（ｃｏｎｔｒｏｌ  ｒｅｇｉｏｎ）を受信してＰＤＣＣＨをデコーディングし、ＰＤＣＣＨデコーディングが完了するまでデータ領域（ｄａｔａ  ｒｅｇｉｏｎ）をバッファリングする。この際、前記データ領域（ｄａｔａ  ｒｅｇｉｏｎ）には、一般ＣＰまたは拡張されたＣＰを適用する。そして、ＰＤＣＣＨデコーディングが終了し、当該ＭＢＳＦＮサブフレームに自分のためのＰＤＳＣＨ伝送があったら、当該サブフレームのデータ領域（ｄａｔａ  ｒｅｇｉｏｎ）を受信した後、ＰＤＳＣＨをデコーディングする。自分のためのＰＤＳＣＨ伝送がなければ、当該サブフレームのデータ領域（ｄａｔａ  ｒｅｇｉｏｎ）の受信／バッファリングを中止し、バッファリングしておいたデータ領域（ｄａｔａ  ｒｅｇｉｏｎ）を廃棄する。ユーザ装置は、前記段階５２５、５３０及び５３５を毎ＭＢＳＦＮサブフレームで繰り返す。
【００６３】
本発明の第１実施形態を要約すれば、次の通りである。ｉ）さらに上位階層でＰＭＣＨをデコードするように指示されたｉｉ）さらに上位階層でＰｏｓｉｔｉｏｎｉｎｇ  Ｒｅｆｅｒｅｎｃｅ  Ｓｉｇｎａｌ  ｏｃｃａｓｉｏｎの一部になるように構成されたサービングセルのためのサブフレームを除いたさらに上位階層パラメータｍｂｓｆｎ−ＳｕｂｆｒａｍｅＣｏｎｆｉｇＬｉｓｔによって指示されたサブフレームで、ユーザ装置が伝送モード９で構成され、Ｐｏｓｉｔｉｏｎｉｎｇ  Ｒｅｆｅｒｅｎｃｅ  Ｓｉｇｎａｌ  ｏｃｃａｓｉｏｎがＭＢＳＦＮサブフレーム内だけで配置され、サブフレーム＃０で使用された循環前置長さが正常循環前置である場合には、前記ユーザ装置のために意図されたＤＣＩフォーマット１Ａまたは２ＣでＣｅｌｌ  Ｒａｄｉｏ  Ｎｅｔｗｏｒｋ  Ｔｅｍｐｏｒａｒｙ  ＩＤ（Ｃ−ＲＮＴＩ）によってスクランブルされたＣｙｃｌｉｃ  Ｒｅｄｕｎｄａｎｃｙ  Ｃｈｅｃｋ（ＣＲＣ）を有するＰＤＣＣＨを感知すれば、前記ユーザ装置は、前記同一のサブフレームで当該ＰＤＳＣＨをデコードしなければならない。
【００６４】
第２実施形態
【００６５】
第２実施形態は、第１実施形態と非常に類似の動作過程を有するが、ＭＣＨスケジューリング情報でユニキャスト目的のＰＳＤＣＨサブフレームを正確に指示する特徴を有する。ＭＣＨスケジューリング情報は、ＭＡＣ  ＣＥ形態でユーザ装置に提供され、下記の図６のような形態を有する。
【００６６】
図６は、本発明の一実施形態によるＭＣＨスケジューリング情報の構造図である。
【００６７】
図６を参照すれば、ＬＣＩＤ  ６００は、ＭＴＣＨの論理チャネルＩＤ（ｌｏｇｉｃａｌ  ｃｈａｎｎｅｌ  ＩＤ）を指示する。停止ＭＴＣＨ（Ｓｔｏｐ  ＭＴＣＨ）６０５は、ＭＣＨスケジューリング周期でサブフレームの順序番号を指示する。停止ＭＴＣＨに該当するサブフレーム位置でＭＴＣＨは、中止される。本実施形態では、ユニキャスト目的のＰＤＳＣＨサブフレームを指示する新しいＬＣＩＤを定義する。例えばＬＣＩＤ＝１１１１１は、ユニキャスト目的のＰＤＳＣＨサブフレームを指示するのに利用されることができる。
【００６８】
図７は、本発明の第２実施形態によるユーザ装置のデータ受信過程の流れ図である。
【００６９】
図７を参照すれば、７００段階〜７１５段階は、第１実施形態の５００段階〜５１５段階と実質的に同一なので、ここでは、詳細な説明を省略する。ユーザ装置は、７２０段階で、ＭＢＭＳ設定情報を利用してＭＣＣＨのＭＢＳＦＮＡｒｅａＣｏｎｆｉｇｕｒａｔｉｏｎ情報を獲得する。ユーザ装置は、ＭＢＳＦＮＡｒｅａＣｏｎｆｉｇｕｒａｔｉｏｎ情報で各ＭＢＳＦＮ領域のＰＭＣＨ構成を確認し、ＰＭＣＨを受信してＭＣＨスケジューリング情報を獲得する。前記ＭＣＨスケジューリング情報は、各ＰＭＣＨに対してＭＴＣＨが伝送されるＭＢＳＦＮサブフレームとユニキャスト目的のＰＤＳＣＨサブフレームを指示する。ユーザ装置は、通常、自分が受信することを希望する（ｉｎｔｅｒｅｓｔｅｄ  ｔｏ  ｒｅｃｅｉｖｅ）ＭＢＭＳサービスに対応するＭＴＣＨを受信する。また、ユニキャスト目的のサブフレームで自分にスケジューリングされたＰＤＳＣＨをデコーディングすることができる。本実施形態によれば、ＴＭ  ９ユーザ装置は、前記ＭＣＨスケジューリング情報を利用してどのＭＢＳＦＮサブフレームでＭＢＭＳサービスが提供されるかを把握し、また前記ＭＣＨスケジューリング情報を利用してどのＭＢＳＦＮサブフレームがユニキャスト目的に使用されるかを認知する。
【００７０】
ユーザ装置は、ＭＣＨスケジューリング情報を利用して各ＭＢＳＦＮサブフレームごとに、当該ＭＢＳＦＮサブフレームが実際ＰＭＣＨ伝送のためのＭＢＳＦＮサブフレームであるかを判断する。また、ユーザ装置は、前記情報を利用して、各ＭＢＳＦＮサブフレームごとに、当該ＭＢＳＦＮサブフレームがユニキャスト目的のサブフレームであるかを判断する。もしユーザ装置がまだＭＣＨスケジューリング情報を獲得しなければ、すべてのＭＢＳＦＮサブフレームがＰＭＣＨ伝送のためのＭＢＳＦＮサブフレームではないものと判断する。
【００７１】
ユーザ装置は、ユニキャスト目的のサブフレーム確認以外に、ＭＢＳＦＮサブフレームにＰＲＳが存在するかをも確認する。ＰＲＳは、ユーザ装置の位置情報を獲得するのに使用されるポジショニング（Ｐｏｓｉｔｉｏｎｉｎｇ）方法を駆動するのに使用される。ＰＲＳのためのサブフレームの位置は、ポジショニングサーバーから提供され、ＮＡＳコンテナを通じてユーザ装置に通知する。
【００７２】
ユーザ装置は、７２５段階で、ＭＢＳＦＮサブフレームがＰＤＳＣＨ伝送のためのＭＢＳＦＮサブフレームとして指示され、ＰＲＳのためのサブフレームではないかを決定する。もしＭＢＳＦＮサブフレームがＰＤＳＣＨ伝送のためのＭＢＳＦＮサブフレームとして指示されないか、またはＰＲＳのためのサブフレームである場合、ユーザ装置は、当該ＭＢＳＦＮサブフレームをユニキャスト目的のＰＤＳＣＨサブフレームではないと判断する。この場合、過程は、段階７３５に進行する。反対に、ＭＢＳＦＮサブフレームがＰＤＳＣＨ伝送のためのユニキャスト目的のサブフレームであり、ＰＲＳのためのものではない場合、ユーザ装置は、当該ＭＢＳＦＮサブフレームをユニキャスト目的のＰＤＳＣＨサブフレームであると判断する。この場合、過程は、段階７３０に進行する。
【００７３】
ユーザ装置は、ＭＢＳＦＮサブフレームがＰＤＳＣＨ伝送のためのものとして指示されないＭＢＳＦＮサブフレームであるか、ＰＲＳのためのサブフレームである場合、過程は、段階７３５に進行し、ユーザ装置は、ＰＭＣＨ伝送に必要な動作を行う。ユーザ装置は、もし前記ＰＭＣＨ伝送が自分が受信しようとするＭＢＭＳサービスと関連したＰＭＣＨなら、すなわち自分が受信しようとするＭＢＭＳサービスに対するＭＣＣＨやＭＴＣＨやＭＣＨスケジューリング情報が伝送されるＭＢＳＦＮサブフレームである場合、ユーザ装置は、データ領域を受信し、拡張されたＣＰを適用してデコーディングする。もし自分が受信しようとするＭＢＭＳサービスと関係ないＰＭＣＨである場合、ユーザ装置は、制御領域（あるいは、非−ＭＢＳＦＮ領域）だけを受信し、データ領域（あるいは、ＭＢＳＦＮ領域）は、受信しない。
【００７４】
ユーザ装置は、ＭＢＳＦＮサブフレームがユニキャスト目的のサブフレームとして指示され、ＰＲＳのためのサブフレームではないと判断されれば、ユーザ装置は、当該ＭＢＳＦＮサブフレームでＰＤＳＣＨ伝送があり得るものと判断し、必要な動作を行う。すなわち、制御領域を受信してＰＤＣＣＨをデコーディングし、ＰＤＣＣＨデコーディングが完了するまでデータ領域をバッファリングする。この際、前記データ領域には、一般ＣＰまたは拡張されたＣＰを適用する。そして、ＰＤＣＣＨデコーディングが終了し、当該ＭＢＳＦＮサブフレームに自分のためのＰＤＳＣＨ伝送があったら、当該サブフレームのデータ領域を受信した後、ＰＤＳＣＨをデコーディングし、自分のためのＰＤＳＣＨ伝送がなければ、当該サブフレームのデータ領域受信／バッファリングを中止し、バッファリングしておいたデータ領域を廃棄する。ユーザ装置は、前記段階７２５、７３０及び７３５を毎ＭＢＳＦＮサブフレームで繰り返す。
【００７５】
図８は、本発明の一実施形態によるユーザ装置のブロック構成図である。
【００７６】
図８を参照すれば、ユーザ装置は、上位階層装置８１０を通じて上位階層とデータなどを送受信し、制御メッセージ処理部８１５を通じて制御メッセージを送受信する。そして、前記ユーザ装置は、基地局に制御信号またはデータ送信時に、制御部８２０の制御によって多重化装置８０５を通じて多重化後、送受信機８００を通じてデータを伝送する。受信時に、ユーザ装置は、制御部８２０の制御によって受信機８００で物理信号を受信した後、多重化及び逆多重化装置８０５で受信信号を逆多重化し、それぞれメッセージ情報によって上位階層８１０あるいは制御メッシュだ処理部８１５に伝達する。特に本発明の一実施形態による制御部８２０は、図５または図７の方式に従ってＭＢＳＦＮサブフレームに対する処理を行うことができる。また、送受信機８００、制御メッセージ処理部８１５、上位階層装置８１０、多重化及び逆多重化装置８０５は、図５及び図７の過程に必要な動作を行うことができる。
【００７７】
本発明の一実施形態によれば、ＭＢＭＳを支援するユーザ装置が効率的にデータを受信することができる効果がある。
【００７８】
この際、処理流れ図の各ブロックと流れ図の組合は、コンピュータプログラムインストラクションによって行われることができることを理解することができる。これらコンピュータプログラムインストラクションは、汎用コンピュータ、特殊用コンピュータまたはその他プログラム可能なデータプロセッシング装備のプロセッサに搭載されることができるので、コンピュータまたはその他プログラム可能なデータプロセッシング装備のプロセッサを通じて行われるインストラクションが流れ図ブロックで説明された機能を行う手段を生成するようになる。これらコンピュータプログラムインストラクションは、特定方式で機能を具現するためにコンピュータまたはその他プログラム可能なデータプロセッシング装備を指向することができるコンピュータ利用可能またはコンピュータ読み取り可能なメモリに格納されることも可能なので、そのコンピュータ利用可能またはコンピュータ読み取り可能なメモリに格納されたインストラクションは、流れ図ブロックで説明された機能を行うインストラクション手段を内包する製造品目を生産することも可能である。コンピュータプログラムインストラクションは、コンピュータまたはその他プログラム可能なデータプロセッシング装備上に搭載されることも可能なので、コンピュータまたはその他プログラム可能なデータプロセッシング装備上で一連の動作段階が行われ、コンピュータで実行されるプロセスを生成し、コンピュータまたはその他プログラム可能なデータプロセッシング装備を行うインストラクションは、流れ図ブロックで説明された機能を実行するための段階を提供することも可能である。
【００７９】
また、各ブロックは、特定された論理的機能を実行するための１つ以上の実行可能なインストラクションを含むモジュール、セグメントまたはコードの一部を示すことができる。また、いくつかの代替実行例では、ブロックで言及された機能が順序を脱して発生することも可能であることを注目しなければならない。例えば、引き続いて図示されている２つのブロックは、実質的に同時に行われることも可能であり、またはそのブロックが時々該当する機能によって逆順に行われることも可能である。
【００８０】
この際、本実施形態で使用される’〜部’という用語は、ソフトウェアまたはＦＰＧＡまたはＡＳＩＣのようなハードウェア構成要素を意味し、’〜部’は、所定の役目を行う。しかし、’〜部’は、ソフトウェアまたはハードウェアに限定される意味ではない。’〜部’は、アドレッシンすることができる格納媒体にあるように構成されることもでき、１つまたはそれ以上のプロセッサを再生させるように構成されることもできる。したがって、一例として’〜部’は、ソフトウェア構成要素、オブジェクト指向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ及び変数を含む。構成要素と’〜部’の内で提供される機能は、さらに小さい数の構成要素及び’〜部’に結合されるか、追加的な構成要素と’〜部’でさらに分離されることができる。しかも、構成要素及び’〜部’は、デバイスまたは保安マルチメディアカード内の１つまたはそれ以上のＣＰＵを再生させるように具現されることもできる。
【００８１】
一方、本明細書と図面には、本発明の好ましい実施形態に対して開示し、たとえ特定用語が使用されたが、これは、ただ本発明の技術内容を容易に説明し、発明の理解を助けるための一般的な意味として使用されたものであって、本発明の範囲を限定しようとするものではない。ここに開示された実施形態以外にも本発明の技術的思想に基づく他の変形例が実施可能であるということは、本発明の属する技術分野における通常の知識を有する者に自明である。
【図２】
2014515901.tif 000006
【図６】
2014515901.tif 000007
【図１】
2014515901.tif 000008
【図３】
2014515901.tif 000009
【図４】
2014515901.tif 000010
【図５】
2014515901.tif 000011
【図７】
2014515901.tif 000012
【図８】
2014515901.tif 000013
【国際調査報告】
2014515901.tif 000014
2014515901.tif 000015